(57)【要約】【課題】眼部監視装置の判定の正確性を高めることができ、従来技術における、判断を誤ったり、判断ができなかったりする欠点を解決することができる照明光源を有する車両用眼部監視装置を提供する。【解決手段】本発明の照明光源を有する車両用眼部監視装置は、独立して配置される第１の本体１０及び第２の本体２０を含む。第１の本体１０内には、運転に必要な電子素子が収容される。第１の本体１０には、運転者の画像を取り込む撮像ユニット１１が設けられる。第２の本体２０は、第１の本体１０の近隣に配置される。第２の本体２０は、眼部を監視する際に必要な照明を提供する第１の照明ユニット２１及び第２の照明ユニット２２を含む。第１の照明ユニット２１及び第２の照明ユニット２２と撮像ユニット１１との間は、５ｃｍ以上の距離を有する。【選択図】図１
2013218469.tif 000002
【特許請求の範囲】
【請求項１】
第１の本体及び第２の本体を備える照明光源を有する車両用眼部監視装置であって、
前記第１の本体は、内部に運転に必要な電子素子が収容され、前記第１の本体の側面には、画像を取り込む撮像ユニットが装着されて外部に露出し、
前記第２の本体は、前記第１の本体の近隣に配置され、撮像対象物に照明を行う照明ユニットが設けられ、前記照明ユニットと前記撮像ユニットとの間は、５ｃｍ以上の距離を有することを特徴とする照明光源を有する車両用眼部監視装置。
【請求項２】
前記第１の本体に設けられ、音声を放出する音声生成ユニットをさらに備えることを特徴とする請求項１に記載の照明光源を有する車両用眼部監視装置。
【請求項３】
前記第２の本体上に設けられ、前記撮像対象物に照明の補助を行う補助照明ユニットをさらに備えることを特徴とする請求項１に記載の照明光源を有する車両用眼部監視装置。
【請求項４】
前記第２の本体上に設けられ、コマンドに基づき、警告を表示する警告ユニットをさらに備えることを特徴とする請求項１に記載の照明光源を有する車両用眼部監視装置。
【請求項５】
前記第１の本体には、電源のオン／オフの制御を行う制御ボタンが設けられることを特徴とする請求項１に記載の照明光源を有する車両用眼部監視装置。
【請求項６】
前記第１の本体に接続され、外部にデータを伝送する伝送線をさらに備えることを特徴とする請求項１に記載の照明光源を有する車両用眼部監視装置。
【請求項７】
前記第１の本体と前記第２の本体との間は、伝送線が接続されることにより、データの伝送が行われることを特徴とする請求項１に記載の照明光源を有する車両用眼部監視装置。
【請求項８】
前記第１の本体は、無線伝送方式によって外部にデータを伝送する無線通信ユニットを備えることを特徴とする請求項１に記載の照明光源を有する車両用眼部監視装置。
【発明の詳細な説明】
【技術分野】
【０００１】
本発明は、眼部監視装置に関し、特に、分離式の照明光源を有する車両用眼部監視装置に関する。
【背景技術】
【０００２】
車両を運転する際の安全性を保障することは、重視されており、関連業者にとっても重要な研究課題となっている。交通事故の原因は、運転者の過失によるものが大多数である。所謂過失とは、例えば、睡眠不足の疲労状態で運転したり、長時間の運転によって疲労しているにも関わらず、適度な休息をとらなかったり、携帯電話を使用したり、飲酒運転をしたりすることを指す。即ち、注意力が散漫となったり、集中力が低下したりするなど、精神状態が優れない状態で運転することが交通事故が発生する主因である。
【０００３】
この問題を解決するために、すでに様々な技術が公開されている。例えば、特許文献１の「運転者監視装置及びその方法」においては、運転者の眼部及びハンドル上の手部の画像を撮像して監視することにより、運転者の手部がハンドル上の適切な領域に置かれているか否か、眼部が開眼状態であるか否かが判断される。
【０００４】
また、Rochester Institute of technology,Jason S.babcock & Jeff B. Pelzによる“Building a lightweight eyetracking headgear"においては、軽量の眼部動作検出装置が開示されている。これは、眼鏡フレーム上に撮像装置が配置されたものであり、眼部の動作を取得した後、取得したデータを多種の用途に応用するものである。
【０００５】
眼部の状況を監視し、運転者の疲労による交通事故を防止したり、眼球の動作パラメータを取得して医療行為又は科学研究を行ったりすることは、合理的に実行することができる上、一定の効果を有する。しかし、従来技術においては、眼部の画像を取得して分析判断を行う際、判断を誤ったり、判断ができなかったりすることが多い。この理由としては、従来技術においては、撮像装置によって眼部の画像が取得される上、赤外線ＬＥＤランプによって眼部を照射し、眼部表面に１つの光点を反射させ、光点と瞳孔の相対位置を判断することにより、眼部の運動パラメータを算出するためである。この従来技術中、赤外線ＬＥＤの照明は重要であり、光点が瞳孔から近すぎたり、照明が不適切で偏移したり、光点が生成できなかったりした場合、眼部の動作を判定することができず、所望の目的を実現することができない。
【先行技術文献】
【特許文献】
【０００６】
【特許文献１】中国特許第２００９１０３１０３２６．３号
【特許文献２】特開２０１１−４００３２
【発明の概要】
【発明が解決しようとする課題】
【０００７】
本発明の目的は、適切な照明を提供して眼球上に好適な光点を生成することができることにより、眼部監視装置の判定の正確性を高めることができ、従来技術における、判断を誤ったり、判断ができなかったりする欠点を解決することができる照明光源を有する車両用眼部監視装置を提供することにある。
【課題を解決するための手段】
【０００８】
上述の課題を解決するために、本発明の照明光源を有する車両用眼部監視装置は、独立して配置される第１の本体及び第２の本体を含む。第１の本体内部には、運転に必要な電子素子が収容される。第１の本体には、撮像ユニットが配置される。撮像ユニットは、第１の本体の外側に露出し、画像を取得するために用いられる。第２の本体は、照明ユニットを有する。照明ユニットは、運転者の眼部に照明を提供する。照明ユニットと撮像ユニットとの間は、５ｃｍ以上の距離を有する。
【発明の効果】
【０００９】
本発明の照明光源を有する車両用眼部監視装置は、眼部の状況を正確に分析して判断することができるため、眼球の画像を判定する際の正確性を大幅に高めることができる。
【図面の簡単な説明】
【００１０】
【図１】本発明の一実施形態による照明光源を有する眼部監視装置を示す斜視図である。
【図２】本発明の一実施形態による照明光源を有する眼部監視装置を示す正面図である。
【発明を実施するための形態】
【００１１】
図１及び図２を参照する。図１は、本発明の一実施形態による照明光源を有する眼部監視装置を示す斜視図である。図２は、本発明の一実施形態による照明光源を有する眼部監視装置を示す正面図である。本発明の一実施形態による照明光源を有する眼部監視装置は、独立して配置される第１の本体１０及び第２の本体２０を含む。第１の本体１０上には、外部に露出する撮像ユニット１１と、音声生成ユニット１２と、制御ボタン１３と、が設けられる。撮像ユニット１１は、運転者の眼球の画像を取り込むために用いられる。取り込まれた画像は、第１の本体１０内部に収容された電子素子（図示せず）に伝送され、画像の演算処理又は各種システム制御が実行される。音声生成ユニット１２は、眼部監視装置のコマンドに基づいて音声を放出する。ユーザは、制御ボタン１３により、眼部監視装置の電源のオン／オフを制御することができる。第１の本体１０は、外部装置と接続される第２の伝送線４０を有する。第２の伝送線４０は、外部装置にデータを伝送したり、制御などの作業を行ったりするために用いられる。ここで、第１の本体１０は、上述の有線方式によって外部とコミュニケーションを行う以外に、内部にＷｉＦｉ（登録商標）、３Ｇなどの無線通信ユニット（図示せず）を選択的に収容し、無線伝送方式によって外部とデータの相互通信を行うことができる。従って、本発明の図面は、データの伝送方式を限定するものではない。
【００１２】
第２の本体２０には、第１の照明ユニット２１、第２の照明ユニット２２及び警告ユニット２３が設けられる。第２の本体２０は、第１の伝送線３０を介し、第１の本体１０とデータの相互通信を行う。第１の照明ユニット２１及び第２の照明ユニット２２は、ユーザの眼部に照明を行う。第１の照明ユニット２１及び第２の照明ユニット２２は、赤外線ＬＥＤを用いることができる。第１の照明ユニット２１及び第２の照明ユニット２２が眼部に照明を行うことによって光点を生成する。或いは、白色ＬＥＤにより、照明の補助を行うことができる。警告ユニット２３は、第２の本体２０の上方に設けられ、眼部監視装置の制御コマンドに基づき、警告ランプを点灯させる。
【００１３】
第１の本体１０と第２の本体２０とが独立して配置されるため、装着位置を自由に調整し、第１の伝送線３０を介し、データを伝送することができる。試験結果から、第２の本体２０上の第１の照明ユニット２１及び第２の照明ユニット２２と撮像ユニット１１との間に、５ｃｍ以上の距離を有する場合、運転者の眼球上に生成される光点が瞳孔に近づきすぎたり、偏移して判定ができなくなったりすることがないことが分かった。本発明の技術によって取得された眼部の画像により、眼部の状況を正確に分析して判断することができるため、眼球の画像を判定する際の正確性を大幅に高めることができる。
【００１４】
上述の詳細な説明は、本発明の範囲を限定するものではなく、当業者は、本発明の主旨を逸脱しない範囲において、変更又は修飾を行うことができる。本発明の保護範囲は、特許請求の範囲によって画定される範囲に基づく。
【符号の説明】
【００１５】
１０  第１の本体
１１  撮像ユニット
１２  音声生成ユニット
１３  制御ボタン
２０  第２の本体
２１  第１の照明ユニット
２２  第２の照明ユニット
２３  警告ユニット
３０  第１の伝送線
４０  第２の伝送線
【図１】
2013218469.tif 000003
【図２】
2013218469.tif 000004